(57)【要約】【課題】出湯ロック解除時に温度表示のちらつきの無い電気湯沸かし器を提供する。【解決手段】液体を収容する容器２を加熱する加熱源３と、液体の温度を検出する温度検知手段４と、温度検知手段４で検知された温度を表示する表示手段５と、表示手段５と加熱源３を制御する制御手段６と、容器２内の液体を外へ吐出するポンプ１１と、出湯ロックを解除するためのロック解除スイッチ１６と、出湯ロックが解除されている時にポンプ１１を駆動するための出湯スイッチ１５と、商用電源が供給されていないときに制御手段６に電源を供給するバックアップ電源１７とを備え、バックアップ電源１７より制御手段６へ電源供給中、ロック解除スイッチ１６で出湯ロックが解除されてから所定時間経過するまで、表示手段５による温度表示を更新せず、温度表示を維持するもので、出湯ロック解除時に即湯温表示が切替る違和感を無くして、使い勝手を向上させることができる。【選択図】図１
2010088604.tif 000002
【特許請求の範囲】
【請求項１】
液体を収容する容器と、前記容器を加熱する加熱源と、前記液体の温度を検出する温度検知手段と、前記温度検知手段で検知された前記液体の温度を表示する表示手段と、前記表示手段と前記加熱源を制御する制御手段と、前記容器内の液体を前記容器外へ吐出するポンプと、出湯ロックを解除するためのロック解除スイッチと、前記出湯ロックが解除されている時に前記ポンプを駆動するための出湯スイッチと、商用電源が供給されていないときに前記制御手段に電源を供給するバックアップ電源とを備え、前記バックアップ電源より前記制御手段へ電源供給中、前記ロック解除スイッチで前記出湯ロックが解除されてから所定時間経過するまで、前記表示手段による温度表示を更新せず、前記ロック解除スイッチで前記出湯ロックが解除されたときの温度表示を維持するようにした電気湯沸かし器。
【請求項２】
表示手段で、ロック解除スイッチで出湯ロックが解除されてからの経過時間を表示する請求項１に記載の電気湯沸かし器。
【請求項３】
ロック解除スイッチで出湯ロックが解除されたときの液体の温度を記憶する記憶手段を備え、前記ロック解除スイッチで前記出湯ロックが解除されてから所定時間経過するまでの間に、前記温度検知手段で検知された前記液体の温度が、前記記憶手段に記憶された温度から所定の温度以上変化したら、表示手段による温度表示を更新するようにした請求項１又は２に記載の電気湯沸かし器。
【請求項４】
ロック解除スイッチで出湯ロックを解除したときに、記憶手段に温度データが記憶されていない場合、所定時間経過していなくても、表示手段による温度表示を更新するようにした請求項３に記載の電気湯沸かし器。
【請求項５】
容器内の液体の量を検知する量検知手段を備え、所定時間中は、前記量検知手段により検知した液体の量に応じて、表示手段による温度表示を補正するようにした請求項４に記載の電気湯沸かし器。
【請求項６】
表示手段による温度表示を点滅して行うようにした請求項１〜５のいずれか１項に記載の電気湯沸かし器。
【発明の詳細な説明】
【技術分野】
【０００１】
本発明は、電気湯沸かし器に関するものである。
【背景技術】
【０００２】
従来、この種の電気湯沸かし器においては、本体への電源供給を、商用電源供給からバックアップ電源による供給に移行した後、湯温表示に関しては、商用電源の供給が終了したときの温度の表示を所定時間維持させるようにしていた（例えば、特許文献１参照）。
【０００３】
このような従来の電気湯沸かし器によれば、バックアップ電源による電源供給に移行した後、所定時間は、商用電源の供給が終了したときの温度表示を維持することで、湯温表示のちらつきを防止し、違和感をなくすことができ、使い勝手を向上させることができるものである。
【特許文献１】特許第３６０６２４８号公報
【発明の開示】
【発明が解決しようとする課題】
【０００４】
しかしながら、前記従来の電気湯沸かし器の構成では、バックアップ電源による電源供給中、出湯ロックのときは、使用者が必ずしも本体の近傍にいない為、使用者が温度表示を実際見る確率は低く、また、消費電力低減対策として、表示手段による温度表示の更新は所定時間毎に行われているため、常時最新の液体温度を表示しているわけではない。逆に、出湯ロック解除のときは、使用者が温度表示を実際見ている為に常時最新の液体温度を表示させる必要がある。このため、出湯ロック時に最新の液体温度が表示されておらず、次回更新時に温度表示が更新されるという更新直前のタイミングにおいて出湯ロックが解除されると、即湯温表示が切替って最新の液体温度に表示が更新されてしまう。
【０００５】
つまり、電気湯沸かし器の容器内の水の温度が変化するような動作である、水の追加、蓋の開閉等行っていなくても、使用者が出湯ロックを解除すると同時に温度表示が切替るタイミングが発生するために、使用者が温度表示の切替りを実際見てしまい、バックアップ電源による電源供給中での湯温表示に関して違和感があり、使い勝手が良くないという課題があった。
【０００６】
本発明は、前記従来の課題を解決するもので、バックアップ電源による電源供給中の湯温表示のちらつきを防止して、違和感を無くし、使い勝手を向上させた電気湯沸かし器を提供することを目的とする。
【課題を解決するための手段】
【０００７】
前記従来の課題を解決するために、本発明の電気湯沸かし器は、液体を収容する容器と、前記容器を加熱する加熱源と、前記液体の温度を検出する温度検知手段と、前記温度検知手段で検知された前記液体の温度を表示する表示手段と、前記表示手段と前記加熱源を制御する制御手段と、前記容器内の液体を前記容器外へ吐出するポンプと、出湯ロックを解除するためのロック解除スイッチと、前記出湯ロックが解除されている時に前記ポンプを駆動するための出湯スイッチと、商用電源が供給されていないときに前記制御手段に電源を供給するバックアップ電源とを備え、前記バックアップ電源より前記制御手段へ電源供給中、前記ロック解除スイッチで前記出湯ロックが解除されてから所定時間経過するまで、前記表示手段による温度表示を更新せず、前記ロック解除スイッチで前記出湯ロックが解除されたときの温度表示を維持するようにしたもので、バックアップ電源による電源供給中、バックアップ電源の電力の消費も低減でき、同時に、出湯ロック解除時に即湯温
表示が切替る違和感を無くして、使い勝手を向上させることができる。
【発明の効果】
【０００８】
本発明の電気湯沸かし器は、所定時間、表示手段による温度表示を更新せず、バックアップ電源による電源供給中での出湯ロック時にロック解除スイッチで出湯ロックが解除されたときの温度表示を維持することで、湯温表示のちらつきを防止し、違和感をなくすことができる。
【発明を実施するための最良の形態】
【０００９】
第１の発明は、液体を収容する容器と、前記容器を加熱する加熱源と、前記液体の温度を検出する温度検知手段と、前記温度検知手段で検知された前記液体の温度を表示する表示手段と、前記表示手段と前記加熱源を制御する制御手段と、前記容器内の液体を前記容器外へ吐出するポンプと、出湯ロックを解除するためのロック解除スイッチと、前記出湯ロックが解除されている時に前記ポンプを駆動するための出湯スイッチと、商用電源が供給されていないときに前記制御手段に電源を供給するバックアップ電源とを備え、前記バックアップ電源より前記制御手段へ電源供給中、前記ロック解除スイッチで前記出湯ロックが解除されてから所定時間経過するまで、前記表示手段による温度表示を更新せず、前記ロック解除スイッチで前記出湯ロックが解除されたときの温度表示を維持するようにしたもので、バックアップ電源による電源供給中、バックアップ電源の電力の消費も低減でき、同時に、出湯ロック解除時に即湯温表示が切替る違和感を無くして、使い勝手を向上させることができる。
【００１０】
第２の発明は、特に、第１の発明の表示手段で、ロック解除スイッチで出湯ロックが解除されてからの経過時間を表示するもので、ロック解除スイッチにて出湯ロックが解除されてからの経過時間も知ることができるので、表示手段の利便性及び機能性を向上させることができる。
【００１１】
第３の発明は、特に、第１又は第２の発明のロック解除スイッチで出湯ロックが解除されたときの液体の温度を記憶する記憶手段を備え、前記ロック解除スイッチで前記出湯ロックが解除されてから所定時間経過するまでの間に、前記温度検知手段で検知された前記液体の温度が、前記記憶手段に記憶された温度から所定の温度以上変化したら、表示手段による温度表示を更新するようにしたもので、例えば、ロック解除スイッチで出湯ロックを解除した直後に水を追加して、所定の温度以上の変化があったときは所定時間経過していなくても表示を更新させることで、表示手段の利便性を向上させることができる。
【００１２】
第４の発明は、特に、第３の発明のロック解除スイッチで出湯ロックを解除したときに、記憶手段に温度データが記憶されていない場合、所定時間経過していなくても、表示手段による温度表示を更新するようにしたもので、例えば、ロック解除スイッチで出湯ロックを解除する直前に温度検知手段で検知された液体の温度がばらつき、温度データが無い場合に、ロック解除スイッチからの入力を受付けた直後、温度検知手段で検知した温度が安定して温度データができたとき、所定時間経過していなくても表示を更新させることで、所定時間、温度無表示の状態を回避することができる。
【００１３】
第５の発明は、特に、第４の発明の容器内の液体の量を検知する量検知手段を備え、所定時間中は、前記量検知手段により検知した液体の量に応じて、表示手段による温度表示を補正するようにしたもので、ロック解除スイッチで出湯ロックを解除したときの温度表示を維持している所定時間中に、表示手段による温度表示への補正を行うことが可能で、容器内の水量に応じた適正な温度表示を行うことができる。
【００１４】
第６の発明は、特に、第１〜５のいずれか１つの発明の表示手段による温度表示を点滅
して行うようにしたもので、表示手段への通電時間が短くなり、電力消費を低減することができる。
【００１５】
以下本発明の実施の形態について、図面を参照しながら説明する。なお、この実施の形態によって本発明が限定されるものではない。
【００１６】
（実施の形態１）
図１は、本発明の第１の実施の形態における電気湯沸かし器の構成を示す模式図である。
【００１７】
図１において、１は、商用電源を供給するための電源プラグ、２は、加熱される液体を収容する容器、３は、９２５Ｗ、７５Ｗの２つのヒータからなり容器２を加熱する加熱源、４は、容器２内の水などの液体の温度を検知する温度検知手段、５は、容器２の中の液体の温度等を表示する表示手段、７は、容器２内の液体の温調制御の設定温度を変更する温度選択入力手段、６は、温度選択入力手段７にて選択された容器２内の液体の温調制御温度と、後述のロック解除スイッチ１６に基づき、表示手段５、加熱源３を制御する制御手段、１７は、商用電源が供給されていないときに制御手段６に電源を供給する一次電池で構成されたバックアップ電源である。
【００１８】
なお、容器２内の液体は、商用電源の供給の有無に関わらず、ポンプ１１によりパイプ１２を介して吐出口１３より吐出されるものであり、１５は、ロック解除時にポンプ１１を駆動するための出湯スイッチ、１６は、出湯ロックを解除するためのロック解除スイッチである。
【００１９】
出湯ロック解除中に出湯スイッチ１５をオンするとポンプ１１は駆動する。８は、バックアップ電源１７で電源を供給中、ロック解除スイッチ１６にて出湯ロックを解除されてからの経過時間を計測する経過時間計測手段である。
【００２０】
以上のように構成された本実施の形態における電気湯沸かし器の動作、作用は以下の通りである。
【００２１】
電源プラグ１が室内のコンセント（図示せず）に差し込まれて、商用電源が供給されると、まず、温度検知手段４により容器２内の液体の温度を検知し、検知した温度が低い場合には、制御手段６により、加熱源３を制御し容器２内の液体の加熱を開始する。また、検知した温度が高い場合には、制御手段６により、加熱源３を制御し容器２内の液体の保温を行う。このとき、制御手段６は、表示手段５を制御し、温度検知手段４で検知した液体の温度の表示を行う。
【００２２】
ここで、電源プラグ１が抜かれる等により、商用電源が供給されなくなると、制御手段６は加熱源３への通電をオフして容器２内の液体の加熱もしくは保温を停止する。そして、商用電源が供給されなくなってからは、バックアップ電源１７により動作することができ、電源が供給されて、制御手段６は、温度検知手段４で検知した温度を表示手段５にて表示し続ける。但し、商用電源が供給されなくなって以降、出湯ロック中は、バックアップ電源１７の消費電力の低減対策ということで、温度検知手段４で検知する温度を表示手段５にて表示する温度表示の更新は所定時間（本実施の形態では３０秒）毎に行っている。ここで、商用電源が供給されなくなってから出湯ロック中、ロック解除スイッチ１６にて、出湯ロックが解除されると、出湯ロック解除状態となる。
【００２３】
このとき、経過時間計測手段８により、ロック解除スイッチ１６で出湯ロックが解除されてからの経過時間を計測し、所定時間（本実施の形態の形態では、５秒）経過するまで
は、表示温度の変更を禁止し、出湯ロックが解除されたときの温度表示を維持し、５秒経過後は、表示手段５による温度表示の更新を可能とする。
【００２４】
以上のように、本実施の形態によれば、出湯ロックが解除されてから所定時間（５秒間）の間は、出湯ロックが解除されたときの温度の表示を維持することにより、商用電源が供給されなくなって以降、出湯ロック中は、温度表示の更新を約３０秒毎に行うことでバックアップ電源１７の電力の消費も低減でき、かつ、出湯ロックが解除されてすぐに表示手段５による温度表示が変化するという違和感もなくすことができる。
【００２５】
なお、表示手段５で、液体の温度だけで無く、経過時間計測手段８で計測した時間も表示するようにすれば、使用者は、容器２内の液体の温度に加えて、ロック解除スイッチ１６で出湯ロックを解除してからの経過時間も知ることができ、容器２内の液体の状態を容易に想像することが可能となって、表示の利便性を向上させることができる。
【００２６】
（実施の形態２）
図２は、本発明の第２の実施の形態における電気湯沸かし器の構成を示す模式図である。なお、上記第１の実施の形態における電気湯沸かし器と同一部品については、同一符号を付してその説明を省略し、異なる部分についてのみ説明する。
【００２７】
上記第１の実施の形態と異なる点は、出湯ロックが解除されたときの温度を記憶する記憶手段９を新たに設けて、出湯ロックが解除されたときの温度表示を維持しているときに、温度検知手段４により検知した温度が、記憶手段９に記憶された温度から、所定の温度（本実施の形態では２０℃）以上上昇または下降すると、所定時間の温度表示更新禁止中であっても、表示手段５により温度表示を更新させるようにしたことである。
【００２８】
このような構成により、バックアップ電源１７により電源供給中で、出湯ロックが解除された直後に容器２内に液体を追加しても、制御手段６は、即座に液体追加後の液体の温度に応じた表示を表示手段５にて行い、表示の利便性を向上させることができる。
【００２９】
また、バックアップ電源１７により電源供給中で、出湯ロックが解除された直後の温度表示を維持しているときに、記憶手段９に、温度データが記憶されていない場合、表示手段５により温度表示を更新させるようにしても良い。このようにすることで、例えば、温度検知手段４で検知する温度がゆらいで温度データが確定していないときに、バックアップ電源１７により電源供給中で、出湯ロックが解除され、出湯ロックが解除された直後の温度表示を維持している間に、温度検知手段４で検知する温度が安定して温度データが確定した場合は、温度表示がない状態になってしまうのを回避することが可能となり、表示の利便性及び機能を向上させることができる。
【００３０】
（実施の形態３）
図３は、本発明の第３の実施の形態における電気湯沸かし器の構成を示す模式図である。なお、上記実施の形態における電気湯沸かし器と同一部品については、同一符号を付してその説明を省略し、異なる部分についてのみ説明する。
【００３１】
本実施の形態と上記第１の実施の形態と異なる点は、加熱源３により容器２内の液体を加熱しているときに、温度検知手段４で検知する温度の上昇勾配に基づき、容器２内の液体の量を検知する量検知手段１０を設けて、制御手段６は、バックアップ電源１７により電源供給中で、出湯ロックが解除されて、出湯ロックが解除された直後の温度表示を維持しているときに、量検知手段１０により検知した液体の量に応じて、表示手段５による温度表示への補正を行うようにしたことである。
【００３２】
具体的には、液体の量が少ないときは、表示温度を低めに補正し、液体の量が多いときは表示温度を高めに補正するようにしたものである。
【００３３】
上記構成により、バックアップ電源１７により電源供給中で、出湯ロックが解除された直後も、容器２内の液体の量に応じた適正な温度表示を行うことができる。なお、本実施の形態における量検知手段１０は、温度検知手段４で検知する温度に基づき容器２内の液体の量を検知しているが、異なる方式にて容器２内の液体の量を検知する構成としても同様の効果を得ることができる。
【００３４】
なお、上記各実施の形態においては、表示手段５で温度を連続的に表示するようにしたが、点滅（例えば、１秒ＯＮ、１秒ＯＦＦ）させて表示するようにしても良い。特に、後者の場合、表示手段５の点灯時間が削減されるので、消費電力を低減することができる。
【産業上の利用可能性】
【００３５】
以上のように、本発明にかかる電気湯沸かし器は、バックアップ電源による電源供給中での出湯ロック時にロック解除スイッチで出湯ロックが解除された後、所定時間、出湯ロックが解除されたときの温度表示を維持することで、湯温表示のちらつきを防止し、違和感をなくすことができ、使い勝手を向上させることが可能となるので、ビルトインタイプの給湯器などを含む多くの家庭電化製品等、容器内の液体温度を表示するものなどにも適用できる。
【図面の簡単な説明】
【００３６】
【図１】本発明の実施の形態１における電気湯沸かし器の構成を示す模式図
【図２】本発明の実施の形態２における電気湯沸かし器の構成を示す模式図
【図３】本発明の実施の形態３における電気湯沸かし器の構成を示す模式図
【符号の説明】
【００３７】
１  電源プラグ
２  容器
３  加熱源
４  温度検知手段
５  表示手段
６  制御手段
７  温度選択入力手段
８  経過時間計測手段
９  記憶手段
１０  量検知手段
１１  ポンプ
１６  ロック解除スイッチ
１７  バックアップ電源
【図１】
2010088604.tif 000003
【図２】
2010088604.tif 000004
【図３】
2010088604.tif 000005